(57)【要約】【課題】ロータを回転させた際に発生する負荷の低下やばらつきを抑制することのできる流体ダンパ装置およびダンパ付き機器を提供すること。【解決手段】流体ダンパ装置では、ロータ３０の回転軸４０からケース２０の底壁２１に向けて突出した軸部４９０と、ケース２０の底壁２１で軸部４９０が嵌る凹部からなる軸穴２１０とによって軸受部１９が設けられており、かかる軸受部１９によって、回転軸４０は、ケース２０の底壁２１に回転可能に支持されている。回転軸４０において軸受部１９の周りで底壁２１に対向する第１端面４１１と、底壁２１において軸受部１９の周りで第１端面４１１に対向する第２端面２１１との間には、第１端面４１１から第２端面２１１に向けて突出して軸受部１９の周りで周方向に延在する第１リブ４７が設けられている。【選択図】図８
2017133668.tif 000002
【特許請求の範囲】
【請求項１】
底壁、前記底壁から軸線方向の一方側に延在する筒部、および前記筒部の内周面から径方向内側に突出した仕切り用凸部を備えた筒状のケースと、
前記ケースの内側に配置された回転軸、および前記回転軸の外周側に支持された弁体を備えたロータと、
前記ケースと前記ロータとによって区画されたダンパ室に充填された流体と、
前記回転軸および前記底壁のうちの一方から他方に向けて突出した軸部、および前記回転軸および前記底壁の他方で凹んで前記軸部が嵌る軸穴を備えた軸受部と、
を有し、
前記回転軸において前記軸受部の周りで前記底壁に対向する面である第１端面と、前記底壁において前記軸受部の周りで前記第１端面に対向する面である第２端面との間には、前記第１端面および前記第２端面のうちの一方から他方に向けて突出して前記軸受部の周りで周方向に延在するリブが設けられていることを特徴とする流体ダンパ装置。
【請求項２】
前記リブは、周方向で繋がった環状リブであることを特徴とする請求項１に記載の流体ダンパ装置。
【請求項３】
前記第１端面と前記第２端面との間には、前記リブとして、前記第１端面から前記第２端面に向けて突出して前記第２端面と接する第１リブが設けられていることを特徴とする請求項１または２に記載の流体ダンパ装置。
【請求項４】
前記第１端面と前記第２端面との間には、前記リブとして、前記第２端面から前記第１端面に向けて突出して前記第１端面と接する第２リブが設けられていることを特徴とする請求項１または２に記載の流体ダンパ装置。
【請求項５】
前記第１端面と前記第２端面との間には、前記リブとして、前記第１端面から前記第２端面に向けて突出して前記第２端面と接する第１リブと、前記第２端面から前記第１端面に向けて突出して前記第１端面と接する第２リブと、が設けられていることを特徴とする請求項１または２に記載の流体ダンパ装置。
【請求項６】
前記回転軸は、径方向外側に突出して前記弁体を保持する弁体支持部が設けられ、
前記弁体支持部において前記底壁と対向する端面である第３端面には、前記第３端面から前記底壁に向けて突出して径方向に延在する第３リブが設けられ、
前記第３リブの径方向内側端部は、前記第１リブと繋がっていることを特徴とする請求項３または５に記載の流体ダンパ装置。
【請求項７】
前記リブは、前記リブの突出方向における先端側が前記軸線方向に対して直交する面になっていることを特徴とする請求項１乃至６の何れか一項に記載の流体ダンパ装置。
【請求項８】
前記リブは、前記リブの突出方向において根元部分が先端側より幅が広いことを特徴とする請求項１乃至７の何れか一項に記載の流体ダンパ装置。
【請求項９】
請求項１乃至８の何れか一項に記載の流体ダンパ装置を備えたダンパ付き機器であって、
機器本体に前記流体ダンパ装置を介して揺動部材が取り付けられていることを特徴とするダンパ付き機器。
【発明の詳細な説明】
【技術分野】
【０００１】
本発明は、ケースとロータとの間に流体が充填された流体ダンパ装置およびダンパ付き機器に関するものである。
【背景技術】
【０００２】
流体ダンパ装置では、有底筒状のケースの内側にロータが配置されており、ロータとケースとの間のダンパ室にオイル等の流体が充填されている。ケースの筒部からは径方向内側に仕切り用凸部が突出しており、ロータでは、回転軸の外周側には弁体が支持されている。従って、ロータが回転して、弁体が閉姿勢になると、弁体と仕切り用凸部との間で流体が圧縮されようとするので、回転軸に大きな負荷が加わる。これに対して、回転軸が第２方向に反転し、弁体が開姿勢となると、流体が通り抜けるので、回転軸には大きな負荷が加わらない（特許文献１参照）。
【０００３】
ここで、回転軸には、底壁に向けて突出した軸部が形成され、底壁には、軸部が嵌る凹部からなる軸穴が形成されており、回転軸は、軸部および軸穴からなる軸受部によって、ケースの底壁に回転可能に支持されている。
【先行技術文献】
【特許文献】
【０００４】
【特許文献１】特開２０１５−１９４２３０号公報
【発明の概要】
【発明が解決しようとする課題】
【０００５】
特許文献１に記載の流体ダンパ装置において、負荷が発生する方向にロータが回転したときにケースの底壁とロータとの間で流体が周方向に漏れると、十分な負荷が得られない。そこで、特許文献１に記載の流体ダンパ装置では、回転軸の底壁と対向する端面に、径方向に延在するリブを設け、リブを底壁と接触させることにより、回転軸と底壁との間で流体が漏れることを抑制した構成が提案されている。
【０００６】
しかしながら、回転軸に径方向に延在するリブを設けても、ロータとケースの底壁との間では軸受部での流体の漏れが存在するため、負荷の低下や負荷のばらつきが発生するという問題点がある。
【０００７】
以上の問題点に鑑みて、本発明の課題は、ロータを回転させた際に発生する負荷の低下やばらつきを抑制することのできる流体ダンパ装置および該流体ダンパ装置を備えたダンパ付き機器を提供することにある。
【課題を解決するための手段】
【０００８】
上記課題を解決するために、本発明に係る流体ダンパ装置は、底壁、前記底壁から軸線方向の一方側に延在する筒部、および前記筒部の内周面から径方向内側に突出した仕切り用凸部を備えた筒状のケースと、前記ケースの内側に配置された回転軸、および前記回転軸の外周側に支持された弁体を備えたロータと、前記ケースと前記ロータとによって区画されたダンパ室に充填された流体と、前記回転軸および前記底壁のうちの一方から他方に向けて突出した軸部、および前記回転軸および前記底壁の他方で凹んで前記軸部が嵌る軸穴を備えた軸受部と、を有し、前記回転軸において前記軸受部の周りで前記底壁に対向する面である第１端面と、前記底壁において前記軸受部の周りで前記第１端面に対向する面である第２端面との間には、前記第１端面および前記第２端面のうちの一方から他方に向
けて突出して前記軸受部の周りで周方向に延在するリブが設けられていることを特徴とする。
【０００９】
本発明では、回転軸およびケースの底壁のうちの一方に設けられた軸部と、他方に設けられた軸穴とによって軸受部が設けられており、かかる軸受部によって、回転軸は、ケースの底壁に回転可能に支持されている。また、回転軸の第１端面と底壁の第２端面との間には、第１端面および第２端面のうちの一方から他方に向けて突出して軸受部の周りで周方向に延在するリブが設けられているため、軸線方向において第１端面と第２端面との間を十分に詰めることができる。また、リブの高さ（突出寸法）が高すぎる場合でも、流体ダンパ装置を組み立てる際、リブが潰されて、リブは適正な高さとなる。従って、ダンパ室の流体が軸受部の軸穴を通って周方向に漏れるという事態が発生しにくい。従って、負荷が発生する方向にロータが回転した際に発生する負荷の低下やばらつきを抑制することができる。
【００１０】
本発明において、前記リブは、周方向で繋がった環状リブであることが好ましい。かかる構成によれば、ダンパ室の流体が軸受部の軸穴を通って周方向に漏れることを効果的に抑制することができる。
【００１１】
本発明において、前記第１端面と前記第２端面との間には、前記リブとして、前記第１端面から前記第２端面に向けて突出して前記第２端面と接する第１リブが設けられている態様を採用することができる。
【００１２】
本発明において、前記第１端面と前記第２端面との間には、前記リブとして、前記第２端面から前記第１端面に向けて突出して前記第１端面と接する第２リブが設けられている態様を採用してもよい。
【００１３】
本発明において、前記第１端面と前記第２端面との間には、前記リブとして、前記第１端面から前記第２端面に向けて突出して前記第２端面と接する第１リブと、前記第２端面から前記第１端面に向けて突出して前記第１端面と接する第２リブと、が設けられている態様を採用してもよい。
【００１４】
本発明において、前記回転軸は、径方向外側に突出して前記弁体を保持する弁体支持部が設けられ、前記弁体支持部において前記底壁と対向する端面である第３端面には、前記第３端面から前記底壁に向けて突出して径方向に延在する第３リブが設けられ、前記第３リブの径方向内側端部は、前記第１リブと繋がっている態様を採用してもよい。かかる構成によれば、軸線方向において底壁と弁体支持部との間を十分に詰めることができる。また、第３リブの高さ（突出寸法）が高すぎる場合でも、流体ダンパ装置を組み立てる際、第３リブが潰されて、第３リブは適正な高さとなる。従って、ダンパ室の流体が底壁と弁体支持部との間を通って周方向に漏れるという事態が発生しにくい。従って、ロータが回転した際に発生する負荷が低下するという事態の発生や、かかる負荷の大きさがばらつくという事態の発生を効果的に抑制することができる。
【００１５】
本発明において、前記リブは、前記リブの突出方向における先端側が前記軸線方向に対して直交する面になっている態様を採用することができる。すなわち、流体ダンパ装置を組み立てる際、リブが潰されていることが好ましい。かかる構成によれば、リブは適正な高さ（突出寸法）となるので、負荷が発生する方向に回転軸を回転させた際、ダンパ室の流体が軸受部の軸穴を通って周方向に漏れるという事態が発生しにくい。
【００１６】
本発明において、前記リブは、前記リブの突出方向において根元部分が先端側より幅が広い態様を採用することができる。かかる構成によれば、流体ダンパ装置を組み立てる際
、リブを潰しやすい。
【００１７】
本発明に係る流体ダンパ装置を備えたダンパ付き機器では、機器本体に前記流体ダンパ装置を介して揺動部材が取り付けられている。例えば、ダンパ付き機器が洋式便器である場合、前記揺動部材は、洋式便器の便座である態様を採用することができる。
【発明の効果】
【００１８】
本発明では、回転軸およびケースの底壁のうちの一方に設けられた軸部と、他方に設けられた軸穴とによって軸受部が設けられており、かかる軸受部によって、回転軸は、ケースの底壁に回転可能に支持されている。また、回転軸の第１端面と底壁の第２端面との間には、第１端面および第２端面のうちの一方から他方に向けて突出して軸受部の周りで周方向に延在するリブが設けられているため、軸線方向において第１端面と第２端面との間を十分に詰めることができる。また、リブの高さ（突出寸法）が高すぎる場合でも、流体ダンパ装置を組み立てる際、リブが潰されて、リブは適正な高さとなる。従って、ダンパ室の流体が軸受部の軸穴を通って周方向に漏れるという事態が発生しにくい。従って、ロータが回転した際に発生する負荷の低下やばらつきを抑制することができる。
【図面の簡単な説明】
【００１９】
【図１】本発明を適用した流体ダンパ装置が搭載された洋式便器を備えた洋式トイレユニットの説明図である。
【図２】図２は、本発明の実施の形態１に係る流体ダンパ装置を中心軸線方向の一方側からみた説明図である。
【図３】図２に示す流体ダンパ装置を中心軸線方向の一方側からみた分解斜視図である。
【図４】図２に示すロータの中心軸線方向の他方側の端部の斜視図である。
【図５】図２に示すケースを中心軸線方向の一方側からみた斜視図である。
【図６】図２に示す流体ダンパ装置を中心軸線方向に沿う面で切断したときの断面図である。
【図７】図２に示す流体ダンパ装置を、ダンパ室を通る位置で中心軸線方向に直交する面で切断したときの断面図である。
【図８】図２に示す回転軸とケースの底壁との間に形成された第１リブの説明図である。
【図９】図８に示す第１リブの断面図である。
【図１０】本発明の実施の形態２に係る流体ダンパ装置において、回転軸とケースの底壁との間に形成された第２リブの説明図である。
【図１１】本発明の実施の形態２に係る流体ダンパ装置に用いたロータの中心軸線方向の他方側の端部の斜視図である。
【図１２】本発明の実施の形態２に係る流体ダンパ装置に用いたケースを中心軸線方向の一方側からみた斜視図である。
【図１３】本発明の実施の形態３に係る流体ダンパ装置において、回転軸とケースの底壁との間に形成された第１リブおよび第２リブの説明図である。
【図１４】本発明の実施の形態４に係る流体ダンパ装置に用いたロータの中心軸線方向の他方側の端部の斜視図である。
【発明を実施するための形態】
【００２０】
以下、本発明を実施するための形態について、図面を参照しながら説明する。なお、以下の説明においては、回転軸４０の中心軸線Ｌ方向において、回転軸４０が突出している側を一方側Ｌ１とし、回転軸４０が突出している側とは反対側を他方側Ｌ２として説明する。
【００２１】
［実施の形態１］
（ダンパ付き機器および流体ダンパ装置１０の全体構成）
図１は、本発明を適用した流体ダンパ装置１０が搭載された洋式便器１を備えた洋式トイレユニット１００の説明図である。図２は、本発明の実施の形態１に係る流体ダンパ装置１０を中心軸線Ｌ方向の一方側Ｌ１からみた説明図であり、図２（ａ）、（ｂ）は各々、流体ダンパ装置１０の斜視図、および流体ダンパ装置１０においてケース２０をロータ３０側から分離させた分解斜視図である。
【００２２】
図１に示す洋式トイレユニット１００は、洋式便器１（ダンパ付き機器）および水タンク３を備えている。洋式便器１は、便器本体２（機器本体）、樹脂製の便座５（揺動部材）、樹脂製の便蓋６（揺動部材）、およびユニットカバー７等を備えている。ユニットカバー７の内部には、後述する流体ダンパ装置が弁座用および弁蓋用として内蔵されており、便座５および便蓋６は各々、流体ダンパ装置を介して便器本体２に連結されている。
【００２３】
図２に示すように、流体ダンパ装置１０は、円柱状の流体ダンパ装置本体１０ａを有しており、流体ダンパ装置本体１０ａから一方側Ｌ１には軸状の連結部１０ｂが突出している。連結部１０ｂは、便座５および便蓋６に連結される。かかる流体ダンパ装置１０は、起立している便座５や便蓋６が便器本体２に被さるように倒れようとする際、それに抗する力（負荷）を発生させ、便座５や便蓋６が倒れる速度を低下させる。連結部１０ｂは、相対向する面が平坦面１０ｃになっており、かかる平坦面１０ｃによって、連結部１０ｂに対する便座５や便蓋６の空周りが防止されている。便座５に連結された流体ダンパ装置１０、および便蓋６に連結された流体ダンパ装置１０としては、同一構成のものを用いることができるので、以下の説明では、便座５に連結された流体ダンパ装置１０を中心に説明する。
【００２４】
（流体ダンパ装置１０の構成）
図３は、図２に示す流体ダンパ装置１０を中心軸線Ｌ方向の一方側Ｌ１からみた分解斜視図であり、図３（ａ）、（ｂ）は各々、ロータ３０からカバー６０等を分離した状態の分解斜視図、およびロータ３０の回転軸４０から弁体５０等を外した状態の分解斜視図である。図４は、図２に示すロータ３０の中心軸線Ｌ方向の他方側Ｌ２の端部の斜視図である。図５は、図２に示すケース２０を中心軸線Ｌ方向の一方側Ｌ１からみた斜視図である。図６は、図２に示す流体ダンパ装置１０を中心軸線Ｌ方向に沿う面で切断したときの断面図である。
【００２５】
図３、図４、図５および図６に示すように、流体ダンパ装置１０は、他方側Ｌ２に底壁２１を備えた筒状のケース２０と、他方側Ｌ２がケース２０の内側に配置されたロータ３０と、一方側Ｌ１でケース２０の開口２９を塞ぐリング状のカバー６０とを有している。ケース２０は、底壁２１から一方側Ｌ１に延在する筒部２２と、筒部２２の内周面２２０から径方向内側に突出した２つの仕切り用凸部２３とを有している。２つの仕切り用凸部２３は、周方向で１８０°ずれた角度位置に形成されている。２つの仕切り用凸部２３はいずれも、他方側Ｌ２の端部が底壁２１と繋がっている。仕切り用凸部２３は、断面台形形状であり、径方向外側から内側に向かって周方向の寸法（厚さ）が薄くなっている。
【００２６】
ロータ３０は、中心軸線Ｌ方向の他方側Ｌ２がケース２０の内側に配置された回転軸４０と、回転軸４０の外周側に保持された弁体５０とを備えている。回転軸４０は、樹脂製であり、ケース２０の内側に位置する第１軸部４１と、第１軸部４１よりも他方側Ｌ２で延在する第２軸部４２とを有している。第１軸部４１は、回転軸４０の一方側Ｌ１の端部４９より外径が大であり、第２軸部４２は、第１軸部４１より外径が大である。なお、第２軸部４２は、第１軸部４１より外径が小であってもよい。
【００２７】
回転軸４０において第１軸部４１と第２軸部４２との間には、第１軸部４１に対して一方側Ｌ１で隣接する円形の第１フランジ部４３と、第１フランジ部４３に対して所定の間隔をあけて一方側Ｌ１で対向する円形の第２フランジ部４４とが形成されている。このため、第１フランジ部４３と第２フランジ部４４との間には環状の溝４５が形成されている。従って、溝４５にＯリング７０を装着して回転軸４０の第１軸部４１をケース２０の内側に配置すれば、Ｏリング７０がケース２０の筒部２２の内周面２２０に当接し、ケース２０とロータ３０との間において、ケース２０の底壁２１と回転軸４０の第１フランジ部４３との間に区画された空間がダンパ室１１として密閉される。その際、ダンパ室１１にはオイル等の流体１２（粘性流体）が充填される。その後、カバー６０をケース２０に固定すれば、流体ダンパ装置１０が構成される。
【００２８】
本形態では、ケース２０にカバー６０を固定するにあたっては、カバー６０の外周面６５に雄ねじ６６が設けられ、ケース２０の内周面２２０のうち、ケース２０の開口２９に隣接する部分に雌ねじ２２６が設けられている。従って、ケース２０の内側にカバー６０を雌ねじ２２６と雄ねじ６６とによって固定することができる。カバー６０の一方側Ｌ１の端面６３には、周方向の複数個所に凹部６４が設けられている。本形態では、カバー６０の一方側Ｌ１の端面６３の内周縁には、周方向の３個所に凹部６４が設けられており、かかる凹部６４は、カバー６０をねじ込む際、治具（図示）を係合させて、カバー６０を回転させる。
【００２９】
ケース２０の内周面２２０では、一方側Ｌ１に位置する部分の内径を他方側Ｌ２に位置する部分の内径より大径とする環状の段部２２７が設けられている。このため、カバー６０をケース２０に固定した際、カバー６０が段部２２７に当接することによって、カバー６０のケース２０内への押し込み量が制御されている。
【００３０】
この状態で、第２軸部４２の一部は、カバー６０を貫通して連結部１０ｂが構成され、第２軸部４２がカバー６０の内側で回転可能に支持される。また、回転軸４０の一方側Ｌ１の端部４９は、後述する軸受部１９によってケース２０の底壁２１に回転可能に支持される。
【００３１】
かかる固定構造によれば、カバー６０とケース２０との固定強度が高く、カバー６０をケース２０に適正に固定することができる。従って、ダンパ室１１内の圧力が過度に高まった際でも、カバー６０が外側に押し出されるという事態が発生しにくい。また、カバー６０の寸法がばらついても、カバー６０のケース２０内への押し込み量が変動しにくいので、カバー６０をケース２０に適正に固定することができる。このため、カバー６０のケース２０内への押し込み量が変動してダンパ室１１内の容積が変動するという事態が発生しにくいので、ダンパ性能がばらつきにくい。また、ケース２０の内周面２２０には、雌ねじ２２６に対して中心軸線Ｌ方向の一方側Ｌ１で隣り合う位置にカバー６０に当接する環状の段部２２７が設けられているため、カバー６０のケース２０内への押し込み量を安定させることができる。また、カバー６０の外周面６５には、中心軸線Ｌ方向の全体にわたって雄ねじ６６が設けられている。このため、カバー６０の全体をケース２０にねじ止めでき、カバー６０をケース２０にねじ止めした状態で、カバー６０は、全体がケース２０内に位置する。従って、流体ダンパ装置１０の中心軸線Ｌ方向の寸法を小型化することができる。また、カバー６０の全体をケース２０にねじ止めできるので、カバー６０をケース２０に強固に固定することができる。ここで、カバー６０とケース２０との間には、周り止め処理が施されている。かかる周り止め処理としては、例えば、接着処理、加締め処理、超音波溶着等が利用される。このため、回転軸４０が回転した際、カバー６０が回転してケース２０に対する固定が緩むことを防止することができる。なお、回転軸４０の第２フランジ部４４との間には、後述するワッシャ７１が配置されており、カバー６０の他方側Ｌ２の端面６７は、ワッシャ７１を介して第２フランジ部４４に当接している。
【００３２】
（軸受部１９の構成）
本形態の流体ダンパ装置１０において、回転軸４０の他方側Ｌ２の端部４９とケース２０の底壁２１との間には、回転軸４０を回転可能に支持する軸受部１９が構成されている。本形態では、回転軸４０において、第１軸部４１から他方側Ｌ２に向けて、第１軸部４１より小径の軸部４９０が突出している。これに対して、ケース２０の底壁２１の中央には、他方側Ｌ２に凹んだ円形の凹部からなる軸穴２１０が形成されており、軸部４９０は、軸穴２１０に嵌った状態で回転可能に支持される。このようにして、回転軸４０とケース２０の底壁２１との間には、軸部４９０および軸穴２１０によって軸受部１９が構成されている。本形態において、軸部４９０は、他方側Ｌ２で開口する凹部４９１が形成されており、樹脂成形時のヒケを緩和する構造になっている。
【００３３】
（ダンパ室１１内の構成）
図７は、図２に示す流体ダンパ装置１０を、ダンパ室１１を通る位置で中心軸線Ｌ方向に直交する面で切断したときの断面図である。図７に示すように、ダンパ室１１において、ケース２０の２つの仕切り用凸部２３の径方向内側の端部２３１は、回転軸４０の第１軸部４１に向けて突出している。また、回転軸４０の第１軸部４１の外周面４１０において、周方向で１８０°ずれた角度位置からは、径方向外側に２つの弁体支持部４６が突出しており、かかる２つの弁体支持部４６の各々に弁体５０が支持されている。２つの弁体支持部４６はいずれも、回転軸４０の他方側Ｌ２の端部４９から所定の寸法だけ一方側Ｌ１に位置する部分を起点にして第１フランジ部４３まで一方側Ｌ１に向けて延在しており、２つの弁体支持部４６はいずれも、一方側Ｌ１の端部が第１フランジ部４３と繋がっている。
【００３４】
弁体支持部４６の径方向外側には、径方向外側に突出した第１凸部４６１と、第１凸部４６１に対して第２方向Ｂで隣り合う位置で径方向外側に突出した第２凸部４６２とが設けられており、第１凸部４６１と第２凸部４６２との間には溝４６０が設けられている。第１凸部４６１および第２凸部４６２はいずれも、一方側Ｌ１の端部が第１フランジ部４３と繋がっている。
【００３５】
溝４６０は、内周面が約１８０°以上の角度範囲にわたって湾曲した円弧状になっており、溝４６０には弁体５０が支持されている。本形態において、第２凸部４６２は、第１凸部４６１より周方向の幅が広い。また、第１凸部４６１の先端部は、第２凸部４６２の先端部より径方向内側に位置する。また、第１凸部４６１および第２凸部４６２は、先端側に向かって互いに離間する方向に突出しており、弁体支持部４６は、周方向の幅が径方向外側より径方向内側で狭くなっている。
【００３６】
弁体５０は、樹脂製であり、径方向内側で溝４６０において中心軸線Ｌと平行な軸線周りに回転可能に支持された断面略円形の第１端部５１と、第１端部５１から径方向外側に突出した第２端部５２とを有している。第２端部５２は、第１凸部４６１に被さるように第１方向Ａ（便座５の閉方向Ｓ）に向けて傾いている。第２端部５２の先端部は、第１凸部４６１および第２凸部４６２より径方向外側に位置する。
【００３７】
（回転軸４０の構成）
回転軸４０の第１軸部４１の外径は周方向で相違しており、ロータ３０が中心軸線Ｌ周りの第１方向Ａに回転する際でも、特定の角度範囲では、仕切り用凸部２３と回転軸４０の第１軸部４１の外周面４１０との間には隙間が形成される。本形態において、第１軸部４１の外径は、周方向において２段階に切り換わっており、回転軸４０の第１軸部４１の外周面４１０は、曲率半径が相違する２つの同心状の円弧面４１０ａ、４１０ｂが周方向に配置されている。本形態では、弁体支持部４６を基準としたとき、第１方向Ａにおいて
、約０°〜約４５°の角度範囲に位置する円弧面４１０ａは、約６０°〜９０°の角度範囲（特定の角度範囲）に位置する円弧面４１０ｂより曲率半径が大きい。また、約４５°〜約６０°の角度範囲に位置する境界面４１０ｃは、円弧面４１０ａから円弧面４１０ｂまで曲率半径が連続的に小さくなっている。
【００３８】
このため、回転軸４０が中心軸線Ｌ回りに回転して、仕切り用凸部２３が設けられている角度位置に円弧面４１０ａが到達したとき、仕切り用凸部２３の端部２３１は、回転軸４０の第１軸部４１の外周面４１０に接する。これに対して、仕切り用凸部２３が設けられている角度位置に円弧面４１０ｂが到達した特定の角度範囲では、仕切り用凸部２３の端部２３１が、回転軸４０の第１軸部４１の外周面４１０から径方向で離間し、仕切り用凸部２３の端部２３１と、回転軸４０の第１軸部４１の外周面４１０との間には、隙間が形成される。
【００３９】
（ダンパ動作）
便座５が直立姿勢にあるとき、流体ダンパ装置１０では、仕切り用凸部２３の端部２３１は、回転軸４０の円弧面４１０ｂとの隙間を介して径方向外側で対向している。この状態で、便座５が平伏姿勢に向けて回転する閉方向Ｓへの回転動作を開始すると、ロータ３０が中心軸線Ｌ周りに第１方向Ａに回転する。このため、弁体５０は、流体１２から圧力を受けて回転し、第２端部５２が第２凸部４６２の側に向けて移動する。その結果、弁体５０の第２端部５２は、ケース２０の筒部２２の内周面２２０に当接する。従って、弁体５０と筒部２２との間では流体１２の移動が阻止される。
【００４０】
但し、仕切り用凸部２３が設けられている角度位置に円弧面４１０ｂが位置する特定の角度範囲では、仕切り用凸部２３は、回転軸４０の第１軸部４１との間に隙間が設けられるため、仕切り用凸部２３と第１軸部４１との間を流体１２が通り抜ける。従って、ロータ３０に加わる負荷が小さい。その場合でも、便座５に対して重力によって平伏姿勢に向けて加わる回転力が小さいので、便座５が倒れる速度が遅い。また、回転軸４０の第１軸部４１は、仕切り用凸部２３の端部２３１から離間した状態で回転するため、仕切り用凸部２３の端部２３１には摩耗が発生しにくい。
【００４１】
そして、便座５がさらに閉方向Ｓに向けて回転し、ロータ３０が中心軸線Ｌ周りにさらに第１方向Ａに回転すると、仕切り用凸部２３は、回転軸４０の第１軸部４１の円弧面４１０ａに接する。このため、仕切り用凸部２３と第１軸部４１との間を流体１２が通り抜けないので、ロータ３０には大きな負荷が加わる。従って、便座５に対して重力によって平伏姿勢に向けて加わる回転力が大きくなっても、便座５が倒れる速度は遅い。このような場合でも、ロータ３０とケース２０との間にはわずかな隙間が存在しているため、第２方向Ｂへの流体１２の移動がわずかに許容される。それ故、ロータ３０は、負荷が加わるものの、低速度での第１方向Ａへの回転が許容される。
【００４２】
これに対して、図１に示す便座５が平伏姿勢から起立姿勢に回転する開方向Ｏへの回転動作を行う際、ロータ３０が中心軸線Ｌ周りに第２方向Ｂに回転する。このため、弁体５０は、流体１２から圧力を受けて回転し、第２端部５２が第１凸部４６１の側に向けて移動する。その結果、弁体５０の第２端部５２とケース２０の筒部２２の内周面２２０との間には隙間があく。従って、弁体５０と筒部２２との間では流体１２が通り抜ける。このため、仕切り用凸部２３が第１軸部４１の円弧面４１０ａに接する状態のときでも、ロータ３０には大きな負荷が加わらない。
【００４３】
（リブの構成）
図８は、図２に示す回転軸４０とケース２０の底壁２１との間に形成された第１リブ４７の説明図であり、回転軸４０とケース２０とを中心軸線Ｌ方向で離間させた状態で中心
軸線Ｌに沿った面で切断したときの断面図である。図９は、図８に示す第１リブ４７の断面図であり、図９（ａ）、（ｂ）は各々、潰す前の第１リブ４７の断面形状を示す説明図、および潰した後の第１リブ４７の断面形状を示す説明図である。
【００４４】
図４および図８に示すように、回転軸４０の他方側Ｌ２の端面４０１では、第１軸部４１の他方側Ｌ２の端面によって、軸部４９０（軸受部１９）の周りで底壁２１に対向する第１端面４１１が構成されている。これに対して、図５および図８に示すように、ケース２０の底壁２１において軸穴２１０の周りは、回転軸４０の第１端面４１１に対向する第２端面２１１が構成されている。ここで、第１端面４１１と第２端面２１１との間には、第１端面４１１および第２端面２１１のうちの一方から他方に向けて突出して軸受部１９の周りで周方向に延在するリブが設けられている。
【００４５】
本形態において、第１端面４１１と第２端面２１１との間には、第１端面４１１から第２端面２１１に向けて突出して軸受部１９の周りで周方向に延在する第１リブ４７が設けられている。本形態において、第１リブ４７は、周方向で繋がった環状リブである。
【００４６】
このように構成した第１リブ４７は、流体ダンパ装置１０を組み立てる際にケース２０の内側にロータ３０を配置してカバー６０を固定したとき、ケース２０の底壁２１に向けて押圧されるので、ケース２０側の第２端面２１１と接する。また、第１リブ４７の高さ（突出寸法）が高すぎる場合、第１リブ４７は潰される。本形態において、第１リブ４７は潰された状態でケース２０側の第２端面２１１に接している。
【００４７】
ここで、第１リブ４７は、図９（ａ）に示すように、潰される前は断面略三角形状をもって形成されている。このため、第１リブ４７は、第１リブ４７の突出方向において根元部分４７１が先端側４７２より幅が広い。また、第１リブ４７は、図９（ｂ）に示すように、潰された後は断面台形形状になっており、潰された後の第１リブ４７は、第１リブ４７の突出方向において根元部分４７１が先端側４７３より幅が広い。また、第１リブ４７は、第１リブ４７の突出方向における先端側４７３が中心軸線Ｌ方向に対して直交する面になっている。ここでいう「略三角形状」とは、明確な角が形成されている場合がある他、角が丸まっている場合も含む意味である。なお、第１リブ４７は、潰される前は、断面半円形状をもって形成される場合もある。
【００４８】
図５に示すように、ケース２０の仕切り用凸部２３の一方側Ｌ１の端面２３７（第４端面）には、回転軸４０の第１フランジ部４３に向けて突出して径方向に延在するリブ２８（第４リブ）が形成されている。ここで、リブ２８は、仕切り用凸部２３の一方側Ｌ１の端面２３７の径方向の全体に形成されている。
【００４９】
このように構成したリブ２８は、流体ダンパ装置１０を組み立てる際にケース２０の内側に回転軸４０を配置したとき、第１フランジ部４３と接する。また、リブ２８の高さ（突出寸法）が高すぎる場合、リブ２８は、仕切り用凸部２３の一方側Ｌ１の端面２３７と第１フランジ部４３との間で潰される。本形態において、リブ２８は潰された状態で第１フランジ部４３に接している。ここで、リブ２８は、図９を参照して説明したように、第１リブ４７と同様、潰される前は断面略三角形状をもって形成されており、潰された後は断面台形形状になっている。ここでいう「略三角形状」とは、明確な角が形成されている場合がある他、角が丸まっている場合も含む意味である。なお、リブ２８は、潰される前は、断面半円形状をもって形成される場合もある。
【００５０】
（本形態の主な効果）
以上説明したように、本形態の流体ダンパ装置１０では、ロータ３０の回転軸４０からケース２０の底壁２１に向けて突出した軸部４９０と、ケース２０の底壁２１で凹んで軸
部４９０が嵌る軸穴２１０とによって軸受部１９が設けられており、かかる軸受部１９によって、回転軸４０は、ケース２０の底壁２１に回転可能に支持されている。また、回転軸４０において軸受部１９の周りで底壁２１に対向する第１端面４１１と、底壁２１において軸受部１９の周りで第１端面４１１に対向する第２端面２１１との間には、第１端面４１１から第２端面２１１に向けて突出して軸受部１９の周りで周方向に延在する第１リブ４７が設けられている。このため、中心軸線Ｌ方向において第１端面４１１と第２端面２１１との間を十分に詰めることができる。また、第１リブ４７の高さ（突出寸法）が高すぎる場合でも、流体ダンパ装置１０を組み立てる際、第１リブ４７が潰されて、第１リブ４７は適正な高さとなる。このため、ダンパ室１１の流体１２が軸受部１９の軸穴２１０を通って周方向に漏れるという事態が発生しにくい。従って、負荷が発生する方向にロータ３０が回転した際に発生する負荷の低下やばらつきを抑制することができる。
【００５１】
また、第１リブ４７は、周方向で繋がった環状リブであるため、ダンパ室１１の流体１２が軸受部１９の軸穴２１０を通って周方向に漏れることを効果的に抑制することができる。また、第１リブ４７は、先端側４７３が軸線Ｌ方向に対して直交する面になっている。すなわち、流体ダンパ装置１０を組み立てる際、第１リブ４７が潰されている。このため、第１リブ４７は、適正な高さになっているので、負荷が発生する方向に回転軸４０が回転した際、ケース２０とロータ３０との間から流体が漏れることを効果的に抑制することができる。また、第１リブ４７は、根元部分４７１が先端側４７２、４７３より幅が広いため、流体ダンパ装置１０を組み立てる際、第１リブ４７を潰しやすい。
【００５２】
さらに、本形態では、図５を参照して説明したように、ケース２０の仕切り用凸部２３の一方側Ｌ１の端面２３７には、回転軸４０の第１フランジ部４３に向けて突出して径方向に延在するリブ２８が形成されている。このため、回転軸４０の中心軸線Ｌ方向においてケース２０の仕切り用凸部２３と回転軸４０の第１フランジ部４３との間を十分に詰めることができる。また、リブ２８の高さ（突出寸法）が高すぎる場合でも、流体ダンパ装置１０を組み立てる際、リブ２８が潰されて、リブ２８は適正な高さとなる。従って、負荷が発生する方向にロータ３０が回転した際、ケース２０の仕切り用凸部２３と回転軸４０の第１フランジ部４３との間から流体１２が漏れることを効果的に抑制することができる。
【００５３】
また、ケース２０において、仕切り用凸部２３の他方側Ｌ２の端部は底壁２１と繋がっており、回転軸４０において、弁体支持部４６の一方側Ｌ１の端部は第１フランジ部４３と繋がっている。このため、仕切り用凸部２３の他方側Ｌ２の端部と底壁２１との間での流体の漏れや、弁体支持部４６の一方側Ｌ１の端部と第１フランジ部４３との間での流体の漏れが発生しない。
【００５４】
［実施の形態２］
図１０は、本発明の実施の形態２に係る流体ダンパ装置１０において、回転軸４０とケース２０の底壁２１との間に形成された第２リブ２７の説明図である。図１１は、本発明の実施の形態２に係る流体ダンパ装置１０に用いたロータ３０の中心軸線Ｌ方向の他方側Ｌ２の端部の斜視図である。図１２は、本発明の実施の形態２に係る流体ダンパ装置１０に用いたケース２０を中心軸線Ｌ方向の一方側Ｌ１からみた斜視図である。
【００５５】
実施の形態１では、回転軸４０の第１端面４１１に第１リブ４７が形成されていたが、本形態では、図１０、図１１、および図１２に示すように、回転軸４０の第１端面４１１に第１リブ４７が形成されておらず、ケース２０の底壁２１の第２端面２１１に、回転軸４０の第１端面４１１に向けて突出して軸受部１９の周りで周方向に延在する第２リブ２７が形成されている。本形態において、第２リブ２７は、周方向で繋がった環状リブである。
【００５６】
このように構成した第２リブ２７は、流体ダンパ装置１０を組み立てる際にケース２０の内側にロータ３０を配置してカバー６０を固定したとき、回転軸４０の第１端面４１１によって押圧されるので、回転軸４０の第１端面４１１と接する。また、第２リブ２７の高さ（突出寸法）が高すぎる場合、第２リブ２７は潰される。本形態において、第２リブ２７は潰された状態で回転軸４０の第１端面４１１に接している。
【００５７】
ここで、第２リブ２７は、図９（ａ）に示すように、第１リブ４７と同様、潰される前は断面略三角形形状をもって形成されている。このため、第２リブ２７は、第２リブ２７の突出方向において根元部分２７１が先端側２７２より幅が広い。また、第２リブ２７は、図９（ｂ）に示すように、第１リブ４７と同様、潰された後は断面台形形状になっており、潰された後の第２リブ２７は、第２リブ２７の突出方向において根元部分２７１が先端側２７３より幅が広い。また、第２リブ２７は、第２リブ２７の突出方向における先端側２７３が中心軸線Ｌ方向に対して直交する面になっている。ここでいう「略三角形状」とは、明確な角が形成されている場合がある他、角が丸まっている場合も含む意味である。なお、第2リブ２７は、潰される前は、断面半円形状をもって形成される場合もある。
【００５８】
このように本形態の流体ダンパ装置１０でも、第２端面２１１には、軸受部１９の周りで周方向に延在する第２リブ２７が設けられているため、中心軸線Ｌ方向において第１端面４１１と第２端面２１１との間を十分に詰めることができる。また、第２リブ２７の高さ（突出寸法）が高すぎる場合でも、流体ダンパ装置１０を組み立てる際、第２リブ２７が潰されて、第２リブ２７は適正な高さとなる。このため、ダンパ室１１の流体１２が軸受部１９の軸穴２１０を通って周方向に漏れるという事態が発生しにくい等、実施の形態１と同様な効果を奏する。
【００５９】
［実施の形態３］
図１３は、本発明の実施の形態３に係る流体ダンパ装置１０において、回転軸４０とケース２０の底壁２１との間に形成された第１リブ４７および第２リブ２７の説明図である。本形態では、図１３に示すように、回転軸４０の第１端面４１１には、図４等を参照して説明した第１リブ４７が形成され、ケース２０の底壁２１の第２端面２１１に、図１２等を参照して説明した第２リブ２７が形成されている。本形態において、第１リブ４７および第２リブ２７はいずれも、周方向で繋がった環状リブである。本形態において、第１リブ４７と第２リブ２７とが、軸線Ｌ方向で対向する位置に設けられている。
【００６０】
このように構成した流体ダンパ装置１０でも、実施の形態１、２と同様、ダンパ室１１の流体１２が軸受部１９の軸穴２１０を通って周方向に漏れるという事態が発生しにくい等、実施の形態１、２と同様な効果を奏する。
【００６１】
［実施の形態４］
図１４は、本発明の実施の形態４に係る流体ダンパ装置１０に用いたロータ３０の中心軸線Ｌ方向の他方側Ｌ２の端部の斜視図である。図１４に示すように、本形態では、実施の形態１と同様、回転軸４０には、第１端面４１１から第２端面２１１に向けて突出して軸受部１９の周りで周方向に延在する第１リブ４７が設けられている。
【００６２】
また、本形態では、回転軸４０の他方側Ｌ２で底壁２１に対向する端面４０１のうち、弁体支持部４６の他方側Ｌ２の第３端面４６７には径方向に延在する第３リブ４８が形成されている。第３リブ４８は、第１リブ４７と繋がる位置から弁体支持部４６の径方向外側の端部まで延在している。本形態において、第３リブ４８は、弁体支持部４６に形成された第１凸部４６１および第２凸部４６２のうち、第１凸部４６１より周方向の幅が広くて径方向外側まで延在している第２凸部４６２の他方側Ｌ２の端面に形成されている。従
って、負荷が発生する方向にロータ３０が回転して第２凸部４６２がケース２０の筒部２２の内周面２２０に接した際、第３リブ２８は、筒部２２の内周面２２０に接する。
【００６３】
このように構成した第３リブ４８は、流体ダンパ装置１０を組み立てる際にケース２０の内側に回転軸４０を配置したとき、底壁２１と当接する。また、第３リブ４８の高さ（突出寸法）が高すぎる場合、底壁２１と弁体支持部４６の端面４６７との間で潰される。本形態において、第３リブ４８は潰された状態で底壁２１に接している。このため、弁体支持部４６の端面４６７と底壁２１との間を流体１２が通過しないようになっている。ここで、第３リブ４８は、図９を参照して説明した第１リブ４７と同様、潰される前は断面略三角形状をもって形成されており、潰された後は断面台形形状になっている。ここでいう「略三角形状」とは、明確な角が形成されている場合がある他、角が丸まっている場合も含む意味である。なお、第３リブ４８は、潰される前は、断面半円形状をもって形成される場合もある。
【００６４】
このように、本形態の流体ダンパ装置１０では、ダンパ室１１の流体１２が軸受部１９の軸穴２１０を通って周方向に漏れることを第１リブ４７によって抑制することができる。また、弁体支持部４６の第３端面４６７と底壁２１との間を流体１２が漏れることを第３リブ４８によって抑制することができる。従って、ロータ３０が回転した際の負荷の低下やばらつきを抑制することができる。
【００６５】
本形態では、実施の形態１に第３リブ４８を追加したが、実施の形態３に第３リブ４８を追加してもよい。
【００６６】
［他の実施の形態］
実施の形態１、２、３、４では、回転軸４０の軸部４９０と、ケース２０の軸穴２１０とによって軸受部１９を構成したが、ケース２０の底壁２１に軸部を設け、回転軸４０に軸穴を設けてもよい。また、実施の形態１、２、３、４では、第１リブ４７および第２リブ２７が周方向で繋がった環状リブであったが、第１リブ４７および第２リブ２７が周方向の１か所あるいは複数個所で途切れている態様を採用してもよい。
【００６７】
上記実施の形態では、便座５が連結される流体ダンパ装置１０を例示したが、洗濯機（ダンパ付き機器）において、洗濯機本体（機器本体）に回転可能に取り付けられた蓋（揺動部材）等に連結される流体ダンパ装置１０に本発明を適用してもよい。
【符号の説明】
【００６８】
１…洋式便器（ダンパ付き機器）、２…便器本体（機器本体）、５…便座（揺動部材）、６…便蓋（揺動部材）、１０…流体ダンパ装置、１１…ダンパ室、１２…流体、１９…軸受部、２０…ケース、２１…底壁、２２…筒部、２３…仕切り用凸部、２７…第２リブ、２８…リブ、３０…ロータ、４０…回転軸、４６…弁体支持部、４７…第１リブ、４８…第３リブ、５０…弁体、６０…カバー、２１０…軸穴、２１１…第２端面、２２０…内周面、４１１…第１端面、４６７…第３端面、４９０…軸部、Ｌ…中心軸線、Ｏ…開方向、Ｓ…閉方向
【図１】
2017133668.tif 000003
【図２】
2017133668.tif 000004
【図３】
2017133668.tif 000005
【図４】
2017133668.tif 000006
【図５】
2017133668.tif 000007
【図６】
2017133668.tif 000008
【図７】
2017133668.tif 000009
【図８】
2017133668.tif 000010
【図９】
2017133668.tif 000011
【図１０】
2017133668.tif 000012
【図１１】
2017133668.tif 000013
【図１２】
2017133668.tif 000014
【図１３】
2017133668.tif 000015
【図１４】
2017133668.tif 000016